【手続補正書】
【提出日】平成29年4月17日(2017.4.17)
【手続補正１】
【補正対象書類名】特許請求の範囲
【補正対象項目名】全文
【補正方法】変更
【補正の内容】
【特許請求の範囲】
【請求項１】
被吸着媒体の蒸発および吸着と、被吸着媒体の脱離および凝縮とを行い、被吸着媒体の蒸発潜熱により冷凍能力を得る吸着式冷凍機であって、
被吸着媒体を吸着する際に外部から吸着を促進するための熱媒体が供給され、被吸着媒体を脱離する際に外部から脱離を促進するための熱媒体が供給される第１、第２吸着部（１２、２２）と、
前記第１、第２吸着部（１２、２２）に供給される熱媒体の流路を切り替える流路切替手段（７０〜７３）と、
前記吸着部（１２、２２）から脱離した被吸着媒体を凝縮する際に外部から凝縮を促進するための熱媒体が供給され、前記吸着部（１２、２２）に吸着させる被吸着媒体を蒸発する際に外部から蒸発を促進するための熱媒体が供給される第１、第２蒸発凝縮部（１３、２３）とを備え、
前記流路切替手段（７０〜７３）は、
前記第１吸着部（１２）に外部から被吸着媒体の脱離を促進するための熱媒体が供給され、前記第２吸着部（２２）に外部から被吸着媒体の吸着を促進するための熱媒体が供給される第１作動状態と、外部からの熱媒体の供給が遮断された状態で、前記第１吸着部（１２）と前記第２吸着部（２２）との間で熱媒体を循環させる熱媒体循環回路を形成する第２作動状態と、前記第１吸着部（１２）に外部から被吸着媒体の吸着を促進するための熱媒体が供給され、前記第２吸着部（２２）に外部から被吸着媒体の脱離を促進するための熱媒体が供給される第３作動状態とを切り替えることができ、
前記第１作動状態から前記第２作動状態を経て前記第３作動状態に切り替え、前記第３作動状態から前記第２作動状態を経て前記第１作動状態に切り替えるようになっており、
前記第１作動状態では、前記第１蒸発凝縮部（１３）に外部から被吸着媒体の凝縮を促進するための熱媒体が供給され、前記第２蒸発凝縮部（２３）に外部から被吸着媒体の蒸発を促進するための熱媒体が供給され、
前記第３作動状態では、前記第１蒸発凝縮部（１３）に外部から被吸着媒体の蒸発を促進するための熱媒体が供給され、前記第２蒸発凝縮部（２３）に外部から被吸着媒体の凝縮を促進するための熱媒体が供給されることを特徴とする吸着式冷凍機。
【請求項２】
被吸着媒体の蒸発および吸着と、被吸着媒体の脱離および凝縮とを行い、被吸着媒体の蒸発潜熱により冷凍能力を得る吸着式冷凍機であって、
被吸着媒体を吸着する際に外部から吸着を促進するための熱媒体が供給され、被吸着媒体を脱離する際に外部から脱離を促進するための熱媒体が供給される第１、第２吸着部（１２、２２）と、
前記第１、第２吸着部（１２、２２）に供給される熱媒体の流路を切り替える流路切替手段（７０〜７３）と、
前記吸着部（１２、２２）から脱離した被吸着媒体を凝縮する際に外部から凝縮を促進するための熱媒体が供給され、前記吸着部（１２、２２）に吸着させる被吸着媒体を蒸発する際に外部から蒸発を促進するための熱媒体が供給される第１、第２蒸発凝縮部（１３、２３）とを備え、
前記流路切替手段（７０〜７３）は、
前記第１吸着部（１２）に外部から被吸着媒体の脱離を促進するための熱媒体が供給され、前記第２吸着部（２２）に外部から被吸着媒体の吸着を促進するための熱媒体が供給される第１作動状態と、外部からの熱媒体の供給が遮断された状態で、前記第１吸着部（１２、１０３）と前記第２吸着部（２２）との間で熱媒体を循環させる熱媒体循環回路を形成する第２作動状態と、前記第１吸着部（１２）に外部から被吸着媒体の吸着を促進するための熱媒体が供給され、前記第２吸着部（２２）に外部から被吸着媒体の脱離を促進するための熱媒体が供給される第３作動状態とを切り替えることができ、
前記第１作動状態から前記第２作動状態を経て前記第３作動状態に切り替え、前記第３作動状態から前記第２作動状態を経て前記第１作動状態に切り替えるようになっており、
前記第１作動状態では、前記第１蒸発凝縮部（１３）に外部から被吸着媒体の凝縮を促進するための熱媒体が供給され、前記第２蒸発凝縮部（２３）に外部から被吸着媒体の蒸発を促進するための熱媒体が供給され、
前記第２作動状態では、外部からの熱媒体の供給が遮断された状態で、前記第１蒸発凝縮部（１３）と前記第２蒸発凝縮部（２３）との間で熱媒体を循環させる第２の熱媒体循環回路が形成され、
前記第３作動状態では、前記第１蒸発凝縮部（１３）に外部から被吸着媒体の蒸発を促進するための熱媒体が供給され、前記第２蒸発凝縮部（２３）に外部から被吸着媒体の凝縮を促進するための熱媒体が供給されることを特徴とする吸着式冷凍機。
【請求項３】
前記第２作動状態の実行時間は、前記第２作動状態が開始してから前記第１吸着部（１２、１０３）または前記第２吸着部（２２、１０４）に吸着されていた被吸着媒体が脱離し始めるまでの時間以下に設定されていることを特徴とする請求項１または２に記載の吸着式冷凍機。
【請求項４】
前記第２作動状態で形成される前記熱媒体循環回路内に、熱媒体を循環させるための熱媒体循環手段（８１）が設けられていることを特徴とする請求項１ないし３のいずれか１つに記載の吸着式冷凍機。
【手続補正２】
【補正対象書類名】明細書
【補正対象項目名】０００７
【補正方法】変更
【補正の内容】
【０００７】
上記目的を達成するため、請求項１に記載の発明は、被吸着媒体を吸着する際に外部から吸着を促進するための熱媒体が供給され、被吸着媒体を脱離する際に外部から脱離を促進するための熱媒体が供給される第１、第２吸着部（１２、２２）と、第１、第２吸着部（１２、２２）に供給される熱媒体の流路を切り替える流路切替手段（７０〜７３）と、吸着部（１２、２２）から脱離した被吸着媒体を凝縮する際に外部から凝縮を促進するための熱媒体が供給され、吸着部（１２、２２）に吸着させる被吸着媒体を蒸発する際に外部から蒸発を促進するための熱媒体が供給される第１、第２蒸発凝縮部（１３、２３）とを備え、
流路切替手段（７０〜７３）は、第１吸着部（１２）に外部から被吸着媒体の脱離を促進するための熱媒体が供給され、第２吸着部（２２）に外部から被吸着媒体の吸着を促進するための熱媒体が供給される第１作動状態と、外部からの熱媒体の供給が遮断された状態で、第１吸着部（１２、１０３）と第２吸着部（２２）との間で熱媒体を循環させる熱媒体循環回路を形成する第２作動状態と、第１吸着部（１２）に外部から被吸着媒体の吸着を促進するための熱媒体が供給され、第２吸着部（２２）に外部から被吸着媒体の脱離を促進するための熱媒体が供給される第３作動状態とを切り替えることができ、第１作動状態から第２作動状態を経て第３作動状態に切り替え、第３作動状態から第２作動状態を経て第１作動状態に切り替えるようになっており、第１作動状態では、第１蒸発凝縮部（１３）に外部から被吸着媒体の凝縮を促進するための熱媒体が供給され、第２蒸発凝縮部（２３）に外部から被吸着媒体の蒸発を促進するための熱媒体が供給され、第３作動状態では、第１蒸発凝縮部（１３）に外部から被吸着媒体の蒸発を促進するための熱媒体が供給され、第２蒸発凝縮部（２３）に外部から被吸着媒体の凝縮を促進するための熱媒体が供給されることを特徴としている。
【手続補正３】
【補正対象書類名】明細書
【補正対象項目名】０００８
【補正方法】変更
【補正の内容】
【０００８】
これにより、２つの吸着部（１２、２２）に供給される熱媒体を切り替える際に、これらの吸着部（１２、２２）の間で熱交換させる第２作動状態を設けることで、外部からの投入熱量を低減することができる。これにより、吸着式冷凍機のＣＯＰ（＝冷凍出力／外部からの投入熱量）を向上させることができる。